【手続補正書】
【提出日】平成19年1月24日(2007.1.24)
【手続補正１】
【補正対象書類名】明細書
【補正対象項目名】特許請求の範囲
【補正方法】変更
【補正の内容】
【特許請求の範囲】
【請求項１】  セグメント保持壁の内部表面を形成するための内側ブロック面と；
セグメント保持壁の外側表面を形成するための外側ブロック面と；
前記外側ブロック面から前記内側ブロック面へと伸びる第１および第２のブロック側部と；
その中に形成されたロックチャネルを有するブロック上表面であって、前記ロックチャネルはチャネル前壁、チャネル後壁、およびアーチ状のチャネル底表面により定義され、前記ロックチャネルは前記ブロック上表面を前記第１ブロック側部から前記第２ブロック側部へと横切って伸び、前記チャネル前壁はチャネル前壁の一部を張り出させるように前記内側ブロック面の方へ伸びる第１の肩部を含み、前記チャネル後壁はチャネル後壁の一部を張り出させるように前記外側ブロック面の方へ伸びる第２の肩部を含み、前記肩部は前記ロックチャネルに沿って互いに概ね平行に延びて開口部を画定し、前記開口部は前記チャネル開口部と前記アーチ状チャネル底表面の間の領域における前記ロックチャネルの幅より狭い、ブロック上表面と；
ロックフランジを有するブロック底表面であって、前記ロックフランジはブロック底表面から伸びるフランジの前表面、ブロック底表面から伸びるフランジの後表面、およびフランジの前表面および後表面間に伸びるフランジの底表面を含み、前記ロックフランジは前記ロックチャネルと実質的に同じ方向に前記ブロック底表面の少なくとも一部を横切って伸び、前記ロックフランジは前記ブロックが同様に構成されたブロックの上に配置されるとき前記ロックフランジの底部が前記同様に構成されたブロックのロックチャネルの開口部を貫通し前記ブロックを連結させるように、寸法付け、形状付け、および位置付けられている、ブロック底表面と、
を備える、セグメント保持壁システムに使用される壁ブロック。
【請求項２】  前記第１肩部が第１及び第２の実質的に平坦な面により画定されている、請求項１に記載の壁ブロック。
【請求項３】  前記第１の実質的に平坦な面が前記ブロック上表面から約９０度の角度で下方に伸び、前記第２の実質的に平坦な面が前記第１の実質的に平坦な面から前記外側ブロック面の方へ斜めに伸びる、請求項２に記載の壁ブロック。
【請求項４】  前記第２の実質的に平坦な面が前記第１の実質的に平坦な面から約４５度の角度で伸びる、請求項３に記載の壁ブロック。
【請求項５】  前記ロックフランジの前記前表面および後表面の少なくとも一部が前記外側ブロック面の方へ斜めに延びる、請求項１に記載の壁ブロック。
【請求項６】  前記ロックフランジが前記ブロック底表面を前記第１のブロック側部から前記第２のブロック側部まで横切って伸びる、請求項１に記載の壁ブロック。
【請求項７】  前記ブロック上表面および前記ブロック底表面が互いに実質的に平行である、請求項１に記載の壁ブロック。
【請求項８】  前記外側ブロック面が前記ブロック底表面から前記ブロック上表面まで内方へ傾斜する、請求項１に記載の壁ブロック。
【請求項９】  前記第１のブロック側部から前記第２のブロック側部に伸びる内部開口をさらに備える、請求項１に記載の壁ブロック。
【請求項１０】  前記ロックフランジ前表面が前記フランジ前表面の一部を張り出させるように前記外側ブロック面の方へ伸びる部分を含み、壁ブロックが同様に構成されたブロックの上に積み重ねられるとき、前記壁ブロックのロックフランジと前記同様に構成されたブロックのロックチャネルの第１肩部の間の係合が前記壁ブロックの前方への傾き及び転倒を抑えるように、前記外側ブロック面の方へ延びる前記部分が、同様に構成されたブロックのロックチャネルの第１肩部と係合するように構成される、請求項１に記載の壁ブロック。
【請求項１１】  前記第１肩部が第１及び第２の実質的に平坦な面により画定されている、請求項１０に記載の壁ブロック。
【請求項１２】  前記第１の実質的に平坦な面が前記ブロック上表面から約９０度の角度で下方に伸び、前記第２の実質的に平坦な面が前記第１の実質的に平坦な面から前記外側ブロック面の方へ斜めに伸びる、請求項１１に記載の壁ブロック。
【請求項１３】  前記第２の実質的に平坦な面が前記第１の実質的に平坦な面から約４５度の角度で伸びる請求項１２に記載の壁ブロック。
【請求項１４】  前記ロックフランジの前記後表面が前記外側ブロック面の方へ斜めに延びる、請求項１０に記載の壁ブロック。
【請求項１５】  前記ロックフランジが前記ブロック底表面を前記第１のブロック側部から前記第２のブロック側部まで横切って伸びる、請求項１０に記載の壁ブロック。
【請求項１６】  前記ブロック上表面および前記ブロック底表面が互いに実質的に平行である、請求項１０に記載の壁ブロック。
【請求項１７】  前記外側ブロック面が前記ブロック底表面から前記ブロック上表面まで内方へ傾斜する、請求項１０に記載の壁ブロック。
【請求項１８】  前記第１のブロック側部から前記第２のブロック側部に伸びる内部開口をさらに備える、請求項１０に記載の壁ブロック。
【請求項１９】  互いの上に積み重ねられたコンクリート壁ブロックの複数の層であって、各ブロックは内側ブロック面、外側ブロック面、前記外側ブロック面から前記内側ブロック面へと伸びる第１及び第２のブロック側部、ブロック上表面、及びブロック底表面を含み、前記層の少なくとも一層の複数の隣接するブロックにおけるブロックの各々はロックチャネルを含み、各ブロックの前記ロックチャネルは前記内側ブロック面と前記ブロック上表面の一つを前記第１のブロック側部から前記第２のブロック側部に横切って伸び、前記隣接するブロックのロックチャネルは一直線にされ且つ土壌補強部材の一部および土壌補強部材保持バーの一部を受容するように適合され、前記ロックチャネルの各々は前壁、後壁、およびチャネル底表面により定義され、前記各ロックチャネルの各々の前記前壁はチャネル前壁の一部を張り出させるように前記ロックチャネルの前記後壁の方へ伸びる第１の肩部を含み、前記チャネル後壁はチャネル後壁の一部を張り出させるように前記ロックチャネルの前記前壁の方へ伸びる第２の肩部を含み、前記肩部は前記ロックチャネルに沿って互いに概ね平行に延びてチャネル開口部を画定し、前記チャネル開口部は前記チャネル開口部と前記チャネル底表面の間の領域における前記ロックチャネルの幅より狭い、コンクリート壁ブロックの複数の層と；
土壌を移動に対して安定させるため保持壁の後ろの土壌内へと伸び、少なくとも１つの層の少なくとも２つの隣接するブロックの一直線にされたロックチャネル内に位置付けられる部分を含む、土壌補強部材と；
前記補強部材の部分を保持する、少なくとも１つの層の少なくとも２つの隣接するブロックの一直線にされたロックチャネル内に少なくとも一部が位置付けられた少なくとも１つの土壌補強部材保持バーであって、前記保持バーは前面、後面、上面、および底面を有し、前記保持バーは、前記チャネル開口部の幅よりも大きい前後寸法を有し、前記狭いチャネル開口部の幅よりも小さい上下寸法を有する、少なくとも一つの土壌補強部材保持バーと；を備え、
前記土壌補強部材の一部が前記保持バーと前記チャネル壁の間に置かれた状態で前記保持バーが前記第１及び第２の肩部を通って前記一直線にされたチャネル内へと挿入され、それから前記第１及び第２の肩部の下方位置へと回転され、前記下方位置では前記保持バーが回転なしに前記チャネルから取り外せず、それによりチャネルの後方に延びる前記土壌補強部材の前記一部に張力が掛かったときに前記土壌補強部材が前記保持バーと前記チャネル後壁の間にクランプ固定されるのを可能にするよう前記一直線にされたロックチャネルが寸法付け及び形状付けられる、セグメント保持壁。
【請求項２０】  前記土壌補強部材はジオグリッドである、請求項１９に記載のセグメント保持壁。
【請求項２１】  前記土壌補強部材はファブリックである、請求項１９に記載のセグメント保持壁。
【請求項２２】  前記隣接するブロックの各々のロックチャネルは各ブロックの上表面を横切って延びる、請求項１９に記載のセグメント保持壁。
【請求項２３】  前記隣接するブロックの各々が、フランジ前表面、フランジ後表面、及び前記フランジ前表面とフランジ後表面の間に延びるフランジ底表面によって定義される前記ブロック底表面上の一体ロックフランジを含み、ブロックが同様に構成されたブロックの上に位置付けられるとき前記フランジの底部が同様に構成されたブロックのチャネル開口部を通り抜けるように前記ロックフランジが寸法付け、形状付け、位置付けされる、請求項２２に記載のセグメント保持壁。
【請求項２４】  前記ロックフランジが前記ブロック底表面を前記第１のブロック側部から前記第２のブロック側部まで横切って伸びる、請求項２３に記載のセグメント保持壁。
【請求項２５】  前記隣接するブロックのロックフランジ前表面が、前記フランジ前表面の一部を張り出させるように前記外側ブロック面の方へ伸びる部分を含み、壁ブロックが同様に構成されたブロックの上に積み重ねられるとき、前記ロックフランジと前記同様に構成されたブロックのロックチャネルの間の係合が前記壁ブロックの前方への傾き及び転倒を抑えるように、前記外側ブロック面の方へ延びる前記部分が、同様に構成されたブロックのロックチャネルの第１肩部と係合するように構成される、請求項２３に記載のセグメント保持壁。
【請求項２６】  各ロックチャネルのチャネル底表面がアーチ状である、請求項１９のセグメント保持壁。
【請求項２７】  各ロックチャネルの前記チャネル前壁の少なくとも一部が前記外側ブロック面の方へ斜めに延びる、請求項１９のセグメント保持壁。
【請求項２８】  複数の前記ブロックが一方のブロック側部から反対側のブロック側部へと延びるブロック内部開口を含み、少なくとも１つの層の複数のブロックの前記ブロック内部開口が一直線にされて、壁ブロックの前記少なくとも１つの層内に開かれた内部通路を形成する、請求項１９に記載のセグメント保持壁。
【請求項２９】  コンクリート製の壁ブロックの複数の層を含むセグメント保持壁であって、各壁ブロックが、
一方のブロック側部から反対側のブロック側部へと延びるブロック内部開口と；
前壁、後壁、及び前記チャネル前壁と後壁の間を延びるチャネル底表面により定義されるロックチャネルであって、前記チャネル前壁と前記チャネル後壁が前記チャネル底表面から互いの方へ延びてチャネル開口部を形成するロックチャネルと；
フランジ前表面、フランジ後表面、及び前記フランジ前表面とフランジ後表面の間に延びるフランジ底表面によって定義される一体ロックフランジであって、ブロックが同様に構成されたブロックの上に位置付けられるとき前記フランジ底表面が同様に構成されたブロックのチャネル開口部を通り抜けるように寸法付け、形状付け、位置付けされる一体ロックフランジと；を備え、
ブロックのロックチャネルとフランジとにより少なくとも２層の保持壁が連結され、少なくとも１層の前記ブロック内部開口が一列に合わさって保持壁ブロックの層内に開かれた内部通路を形成する、セグメント保持壁。
【請求項３０】  複数の保持壁ブロックからなるセグメント保持壁に補強部材を固定するための長い保持バーであって、各ブロックがブロックを横切って延びるロックチャネルを有し、各ロックチャネルがブロック面にある開口部、及び前記開口部より幅が広いベースを備え、前記ブロックが保持壁の層に並べられたときに隣接するブロックの前記ロックチャネルが一直線になって長いチャネルを形成し、前記保持バーは、
上表面と；
前記上表面と反対側に形成された底表面と；
前表面と；
前記前表面と反対側に形成された後表面と；を備え、
前記保持バーが開口部を通って前記長いチャネル内へ前記補強部材上に挿入され、且つその幅が前記ロックチャネルの幅と概ね平行であるように回転されたとき、張力が前記補強部材に掛けられたときに前記保持バーが前記ロックチャネル内の前記補強部材をクランプ固定するように構成されるよう、前記保持バーが挿入される保持壁ブロックの前記ロックチャネルの開口部の幅よりも小さい前記上表面と底表面の間の高さと、前記ロックチャネルの開口部の幅より大きく且つ前記ロックチャネルのベースの幅よりも小さい前記前表面と後表面の間の幅と、を有する保持バー。
【請求項３１】  前記上表面が概ね平坦であり、前記底表面がアーチ形である、請求項３０に記載の保持バー。
【請求項３２】  前記後表面が、前記上表面から斜め下方に前記前表面から離れて延びる、請求項３０に記載の保持バー。
【請求項３３】  高分子材料から作られた、請求項３０に記載の保持バー。